(57)【要約】【課題】外観意匠を多様に変更でき、需要者の趣向に合わせて購買意欲を喚起させることが可能なクッション体を提供する。【解決手段】略Ｕ字状の本体と、前記本体に着脱可能に取り付けられる装飾体と、を備えることを特徴とする。【選択図】図１
2019180513.tif 000002
【特許請求の範囲】
【請求項１】
略Ｕ字状の本体と、前記本体に着脱可能に取り付けられる装飾体と、を備えることを特徴とするクッション体。
【請求項２】
前記本体と前記装飾体との間に取り付け手段が設けられていることを特徴とする、請求項１に記載のクッション体。
【請求項３】
前記本体は、その表面から突設された係止手段を有することを特徴とする、請求項１又は２に記載のクッション体。
【請求項４】
前記装飾体は、被服を模したものであることを特徴とする、請求項１〜３の何れかに記載のクッション体。
【請求項５】
前記本体の略中央に隆起部が形成されていることを特徴とする、請求項１〜４の何れかに記載のクッション体。
【請求項６】
前記装飾体を複数備えることを特徴とする、請求項１〜５の何れかに記載のクッション体。
【請求項７】
前記本体は、その表面に装飾部を有することを特徴とする、請求項１〜６の何れかに記載のクッション体。
【発明の詳細な説明】
【技術分野】
【０００１】
本発明は、クッション体に係り、特に、身体に装着するクッション体に関する。
【背景技術】
【０００２】
身体に装着するクッション体として、ネックピローやボディーピロー等の寝具が挙げられる。
【０００３】
特に、ネックピローは、従来から、飛行機や夜行バス、車内、オフィス等、就寝環境が十分に整っていない場所において多用されている。
【０００４】
また、ネックピローは、通常、全体で略Ｕ字状であり、使用者の頸部に取り付けて用いられる。これにより、使用者は、椅子に着座した状態であっても、頸部への負担が軽減される快適な就寝環境を構築することができる。
【０００５】
上述したようなネックピローとして、特許文献１には、持ち運ぶ際に容積を小さくでき、携帯に適したネックピローが記載されている。
【先行技術文献】
【特許文献】
【０００６】
【特許文献１】実用新案登録第３２１２９７７号
【発明の概要】
【発明が解決しようとする課題】
【０００７】
しかしながら、特許文献１に記載のネックピローは、その外観意匠が、従来のネックピローに多用されてきた、ありふれたものであり、外観意匠を契機として需要者に購買意欲を喚起させることが困難である。
【０００８】
本発明は上記のような実状に鑑みてなされたものであり、外観意匠を多様に変更でき、需要者の趣向に合わせて購買意欲を喚起させることが可能なクッション体を提供することを課題とする。
【課題を解決するための手段】
【０００９】
上記課題を解決するために、本発明は、略Ｕ字状の本体と、前記本体に着脱可能に取り付けられる装飾体と、を備えることを特徴とする。
【００１０】
本発明によれば、需要者の趣向に合わせて、外観が異なる装飾体を自在に付け替えることができ、幅広い需要者層の購買意欲を喚起させることが可能となる。
【００１１】
本発明の好ましい形態では、前記本体と前記装飾体との間に取り付け手段が設けられていることを特徴とする。
【００１２】
このような構成とすることで、装飾体の、本体からの不意の脱離を防止することが可能となる。
【００１３】
本発明の好ましい形態では、前記本体は、その表面から突設された係止手段を有することを特徴とする。
【００１４】
このような構成とすることで、例えば、クッション体を収納する際や、商品として陳列する際に、壁等に引っ掛けておくことが可能となり、取り扱いの利便性が向上する。
【００１５】
本発明の好ましい形態では、前記装飾体は、被服を模したものであることを特徴とする。
【００１６】
このような構成とすることで、クッション体全体が人の身体（腹部及び脚部）を想起させるものとなり、需要者の目を引く特徴的な外観意匠を形成することが可能となる。
【００１７】
本発明の好ましい形態では、前記本体の略中央に隆起部が形成されていることを特徴とする。
【００１８】
このような構成とすることで、本体を、人の身体（腹部及び脚部）の形状に疑似させることができ、需要者の目を引く特徴的な外観意匠を形成することが可能となる。
【００１９】
本発明の好ましい形態では、前記装飾体を複数備えることを特徴とする。
【００２０】
このような構成とすることで、外観意匠のバリエーションが多様となり、需要者の外観意匠に求める多様なニーズに対応することが可能となる。
【００２１】
本発明の好ましい形態では、前記本体は、その表面に装飾部を有することを特徴とする。
【００２２】
このような構成とすることで、外観意匠のバリエーションがさらに多様となり、需要者の外観意匠に求める多様なニーズに対応することが可能となる。
【発明の効果】
【００２３】
本発明によれば、外観意匠を多様に変更でき、需要者の趣向に合わせて購買意欲を喚起させることが可能なクッション体を提供することができる。
【図面の簡単な説明】
【００２４】
【図１】本発明の実施形態に係るクッション体の概略斜視図である。
【図２】本発明の実施形態に係るクッション体の取り付け手段を示す図である。
【図３】本発明の実施形態に係るクッション体の変更例を示す図である。
【図４】本発明の実施形態に係るクッション体の変更例を示す図である。
【図５】本発明の実施形態に係るクッション体の変更例を示す図である。
【発明を実施するための形態】
【００２５】
以下、図１〜図５を用いて、本発明の実施形態に係るクッション体について説明する。なお、以下に示す実施形態は本発明の一例であり、本発明を以下の実施形態に限定するものではない。また、これらの図において、符号１は、本実施形態に係るクッション体を示す。
【００２６】
図１及び図２に示すように、クッション体１は、略Ｕ字状の本体１１と、本体１１に着脱可能に取り付けられる装飾体１２と、を備えている。
【００２７】
本体１１は、その表面が、綿や麻、絹、羊毛等の動植物繊維、レーヨンやナイロン、ポリエステル等の化学繊維等を用いた柔軟性のある素材により形成され、内部には、綿や羽毛、ウレタン等クッション性のある素材が詰められている。
【００２８】
また、本体１１は、略Ｕ字状に形成されることで頂部１１ａと、一対の端部１１ｂと、を有している。
【００２９】
さらに、本体１１は、頂部１１ａから突設された係止手段Ｌを有している。
詳述すれば、係止手段Ｌは、輪状の帯状体として形成されている。
なお、係止手段Ｌは、これに限られず、例えば、フックとして形成しても良い。また、係止手段Ｌは、必ずしも頂部１１ａから突設させる必要はなく、端部１１ｂの近傍でも良いし、特に限定されない。
【００３０】
装飾体１２は、全体が綿や麻、絹、羊毛等の動植物繊維、レーヨンやナイロン、ポリエステル等の化学繊維等を用いた柔軟性のある素材により形成されている。
【００３１】
また、装飾体１２は、被服のスカートを模したものであり、全周に亘って複数のプリーツが形成され、本体１１の周囲を覆うようにして取り付けられている。
ここで、図１に示すように、装飾体１２が本体１１に取り付けられた状態における、装飾体１２の頂部１１ａ側の開口端を第一開口端１２ａ、端部１１ｂ側の開口端を第二開口端１２ｂと称することとする。
なお、プリーツは形成しなくても良い。また、第二開口端１２ｂにフリルが設けられていても良い。
【００３２】
図１に示すように、本体１１に装飾体１２を取り付けた際、本体１１の頂部１１ａ及び一対の端部１１ｂは、装飾体１２の第一開口端１２ａ及び第二開口端１２ｂから、それぞれ突出するように形成されている。
【００３３】
図２に示すように、本体１１と装飾体１２との間には、取り付け手段Ａが設けられている。
詳述すれば、装飾体１２の裏面における第一開口端１２ａ近傍に、弾性素材により形成される輪状の帯状体が、取り付け手段Ａとして一対形成されている。
【００３４】
装飾体１２は、この一対の取り付け手段Ａに、本体１１の一対の端部１１ｂを、それぞれ挿通させることで、図２（ａ）から図２（ｂ）に示すような状態となり、本体１１に取り付けられる。そして、装飾体１２の裏面が内側となるように、装飾体１２を本体１１に覆い被せることで、図１に示すような状態となる。
なお、取り付け手段Ａは、上述したものに限られず、例えば、紐や面ファスナー、スナップボタン等を用いることで取り付け手段Ａを形成しても良い。
【００３５】
本体１１は、その略中央に装飾部１１ｃを有している。装飾部１１ｃは図２（ａ）及び図２（ｂ）に示すように被服である下着の模式図である。
なお、本体１１は、必ずしも装飾部１１ｃを有している必要はないし、有していても被服の模式図である必要はない。
【００３６】
図１及び図２では、被服のスカートを模した装飾体１２を示したが、被服や身体に身に付けるものを模したものであれば何でも良く、これに限定されない。
【００３７】
例えば、図３（ａ）に示すように、装飾体１２は、ショートパンツを模したものであっても良い。このように、装飾体１２が、本体１１の一対の端部１１ｂがそれぞれ挿通される一対の第二開口端１２ｂを有している場合、必ずしも本体１１と装飾体１２との間には、取り付け手段Ａが設けられている必要はない。
【００３８】
また、図３（ｂ）に示すように、装飾体１２は、タイツを模したものであっても良い。このように、一対の端部１１ｂは必ずしも第二開口端１２ｂから突出させる必要はない。
【００３９】
また、図３（ｃ）に示すように、装飾体１２は、エプロンを模したものであっても良い。このように、装飾体１２は必ずしも本体１１の周囲を覆うようにして取り付けられる必要はない。
【００４０】
また、図３（ｄ）に示すように、装飾体１２は、ワンピースを模したものであっても良い。このように、装飾体１２が本体１１の周囲を覆い、本体１１の頂部１１ａ及び一対の端部１１ｂが第一開口端１２ａ及び第二開口端１２ｂから突出しないように形成されても良い。
【００４１】
図３に示した変更例の他に、装飾体１２は、例えば水着や下着、ブルマー等を模したものであっても良い。
【００４２】
図１〜図３において、装飾体１２として、特に女性が身に付ける被服を模したものを示したが、装飾体１２は、男性が身に付ける被服を模したものであっても良い。
例えば、装飾体１２は、褌や袴、股引等を模したものであっても良い。
【００４３】
図４に示すように、本体１１の略中央には、装飾部１１ｃの代わりに隆起部１１ｄが形成されていても良い。
詳述すれば、本体１１の略中央には、端部１１ｂに向かって突出する３つの隆起部１１ｄが形成されている。また、３つの隆起部１１ｄは、中央に形成される主隆起部１１ｄ１と、主隆起部１１ｄ１の左右方向に一対形成され、かつ主隆起部１１ｄ１と比較して隆起の程度が低い副隆起部１１ｄ２と、を有している。
なお、本体１１には、装飾部１１ｃと隆起部１１ｄとが両方形成されていても良い。
【００４４】
図５に示すように、クッション体１は、装飾体１２を複数備えていても良い。
詳述すれば、装飾体１２は、被服のスカートを模した主装飾体１２１と、被服の下着を模した副装飾体１２２と、を有している。
この場合、まず、本体１１の一対の端部１１ｂを副装飾体１２２の一対の第二開口端１２ｂに挿通させることで、副装飾体１２２が本体１１に取り付けられる（矢印ａ）。次に、主装飾体１２１の取り付け手段Ａに、本体１１の一対の端部１１ｂをそれぞれ挿通させることで、主装飾体１２１が本体１１に取り付けられる（矢印ｂ）。そして、主装飾体１２１の裏面が内側となるように、主装飾体１２１を本体１１に覆い被せることで、図１に示すような状態となる。
【００４５】
なお、この場合であっても、クッション体１は、装飾部１１ｃを有している必要はないし、有していても被服の模式図である必要はない。
図５では、装飾部１１ｃは、絆創膏の模式図である。この他に、装飾部１１ｃは、例えば象等動物の模式図であっても良い。
また、この場合であっても、本体１１には、装飾部１１ｃと隆起部１１ｄとが両方形成されていても良いし、装飾部１１ｃの代わりに隆起部１１ｄが形成されていても良い。
さらに、この場合であっても、上述した装飾体１２の変更例は、当然に適用することができるし、一つの本体１１に装着される装飾体１２の数は３つ以上であっても良い。
【００４６】
本実施形態によれば、クッション体１が、略Ｕ字状の本体１１と、本体１１に着脱可能に取り付けられる装飾体１２と、を備えることで、需要者の趣向に合わせて、外観が異なる装飾体１２を自在に付け替えることができ、幅広い需要者層の購買意欲を喚起させることが可能となる。
【００４７】
また、本体１１と装飾体１２との間に取り付け手段Ａが設けられていることで、装飾体１２の、本体１１からの不意の脱離を防止することが可能となる。
【００４８】
また、本体１１が、その表面から突設された係止手段Ｌを有することで、例えば、クッション体１を収納する際や、商品として陳列する際に、壁等に引っ掛けておくことが可能となり、取り扱いの利便性が向上する。
【００４９】
また、装飾体１２が、被服を模したものであることで、クッション体１全体が人の身体（腹部及び脚部）を想起させるものとなり、需要者の目を引く特徴的な外観意匠を形成することが可能となる。
特に、本実施形態のように、装飾体１２が、スカートやショートパンツ等女性の装身具を模したものであることで、男性の購買意欲を喚起させることが可能となる。
【００５０】
また、本体１１の略中央に隆起部１１ｄが形成されていることで、本体１１を、人の身体（腹部及び脚部）の形状に疑似させることができ、需要者の目を引く特徴的な外観意匠を形成することが可能となる。
特に、本実施形態のように、隆起部１１ｄが主隆起部１１ｄ１と副隆起部１１ｄ２と、を有していることで、本体１１が男性の身体（腹部及び脚部）を想起させるものとなり、女性の購買意欲を喚起させることが可能となる。
【００５１】
また、装飾体１２を複数備えることで、外観意匠のバリエーションが多様となり、需要者の外観意匠に求める多様なニーズに対応することが可能となる。
【００５２】
また、本体１１が、その表面に装飾部１１ｃを有することで、外観意匠のバリエーションがさらに多様となり、需要者の外観意匠に求める多様なニーズに対応することが可能となる。
【００５３】
図１〜図５に示したクッション体１は、その大きさを適宜変更させることで、首や腰、指等身体の様々な部位に装着させることができ、ネックピローやボディーピロー等の寝具の他、指輪やペンダントトップ等の服飾品としても用いることができる。
【００５４】
なお、前記実施形態において示した各構成部材の諸形状や寸法等は一例であって、設計要求等に基づき種々変更可能である。
【符号の説明】
【００５５】
１        クッション体
１１      本体
１１ａ    頂部
１１ｂ    端部
１１ｃ    装飾部
１１ｄ    隆起部
１１ｄ１  主隆起部
１１ｄ２  副隆起部
１２      装飾体
１２１    主装飾体
１２２    副装飾体
１２ａ    第一開口端
１２ｂ    第二開口端
Ａ        取り付け手段
Ｌ        係止手段
【図１】
2019180513.tif 000003
【図２】
2019180513.tif 000004
【図３】
2019180513.tif 000005
【図４】
2019180513.tif 000006
【図５】
2019180513.tif 000007